(57)【要約】【課題】プラズマディスプレイ装置で発生する高温空気の気流の流れを調整して、装置の特定部位で集中的に温度が上昇することを防止するプラズマディスプレイ装置を提供する。【解決手段】本発明は、プラズマディスプレイ装置１０において、プラスチック材質で形成されるシャーシベース４０の背面にエアーガイド部４４を一体的に形成し、駆動回路部６０の作動時に発生する高温空気の流れを調整して、プラズマディスプレイ装置１０の特定部位で温度が上昇することを防止するようにしたプラズマディスプレイ装置１０に関するものである。【選択図】図２
2007034293.tif 000002
【特許請求の範囲】
【請求項１】
前面パネル及び背面パネルを備えて形成されるプラズマ表示パネルと、
前記プラズマ表示パネルの背面側に設けられ、前記プラズマ表示パネルを支持するプラスチック材質のシャーシベースと、
前記シャーシベースの背面に設けられる回路基板を含み、前記プラズマ表示パネルに形成された電極に信号を伝達する駆動回路部と、を含んでなり、
前記シャーシベースの背面には、前記駆動回路部から発生する熱を分散させるエアーガイド部が形成されることを特徴とするプラズマディスプレイ装置。
【請求項２】
前記エアーガイド部は、前記シャーシベースの成形時に一体的に形成されることを特徴とする請求項１に記載のプラズマディスプレイ装置。
【請求項３】
前記エアーガイド部は、前記駆動回路部の回路基板の上部に離隔して形成されることを特徴とする請求項１に記載のプラズマディスプレイ装置。
【請求項４】
前記エアーガイド部は、前記回路基板と離隔して一対一で対応するように形成されることを特徴とする請求項１に記載のプラズマディスプレイ装置。
【請求項５】
前記エアーガイド部は、前記回路基板に向かって下向きに傾斜した端部が弧状に形成されることを特徴とする請求項１に記載のプラズマディスプレイ装置。
【請求項６】
前記エアーガイド部は、前記シャーシベースの背面に突出形成されることを特徴とする請求項１に記載のプラズマディスプレイ装置。
【請求項７】
前記エアーガイド部は、“Ｖ”字形状に形成されることを特徴とする請求項１に記載のプラズマディスプレイ装置。
【請求項８】
前記エアーガイド部は、前記回路基板の上部に水平に形成されることを特徴とする請求項１に記載のプラズマディスプレイ装置。
【請求項９】
前記エアーガイド部は、前記回路基板の上部に設けられ、相互に水平に配列される複数の第１のエアーガイドと、前記第１のエアーガイドの上方に当該第１のエアーガイドと平行に形成され、前記第１のエアーガイドの間の離隔空間を上方から覆うように形成される第２エアーガイド部と、を含んでなることを特徴とする請求項１に記載のプラズマディスプレイ装置。
【発明の詳細な説明】
【技術分野】
【０００１】
本発明は、プラズマディスプレイ装置に関し、より詳細には、プラズマ表示パネルの背面に設けられるシャーシベースの駆動回路部から発生する高温の熱により加熱された駆動回路部の周囲の空気の流れを調整することができるプラズマディスプレイ装置に関する。
【背景技術】
【０００２】
一般に、プラズマ表示装置（Ｐｌａｓｍａ  Ｄｉｓｐｌａｙ  Ｐａｎｅｌ）は、対向する二つの基板の対向面に各々放電電極を形成し、基板間の密閉された放電空間に放電ガスを注入した状態で、各放電電極に所定の電源を印加して、放電空間から発生する紫外線によって励起される蛍光体層の蛍光物質から発光された光を用いて画像を具現するプラズマ表示パネルを用いた平板表示装置（Ｆｌａｔ  Ｄｉｓｐｌａｙ  Ｄｅｖｉｃｅ）のことである。
【０００３】
前記プラズマ表示装置は、前面筐体及び背面筐体が組み立てられて結合される内部に、プラズマ表示パネル、シャーシベース、駆動回路部、及び各種付加装置が設けられる。
【０００４】
前記シャーシベースは、プラズマ表示パネルを支持する役割と、前記プラズマ表示パネルを駆動する駆動回路部を固定する役割とを果たす。
【０００５】
前記プラズマ表示パネルの背面には、放熱シートが備えられ、プラズマ表示パネルから発生する熱がシャーシベースに迅速に伝達され得るようになっている。前記放熱シートは、プラズマ表示パネル面から生成される熱エネルギーを、伝導または対流の方法でシャーシベースに伝達する。
【０００６】
前記のディスプレイ装置で発生する熱は、前記のプラズマ表示パネルだけではなく、前記シャーシベースの背面に装着された複数の駆動回路部からも発生するので、プラズマ装置では、前記駆動回路部から発生された熱によって装置の内部温度が上昇することを防止するようにすることが、重要な問題となる。
【０００７】
前記のプラズマディスプレイ装置の駆動回路部から発生した熱は、自然対流の特性により、前記熱が発生した部位の上側に進む。
【０００８】
従来では、プラズマディスプレイ装置の駆動回路部から発生する高温の熱による熱い気流を、そのまま装置外に放出するようにしているので、駆動回路部と対応する装置の上部側の特定部位の温度が高まって怪我の危険があり、消費者の製品の満足度を低下させるという問題がある。
【発明の開示】
【発明が解決しようとする課題】
【０００９】
本発明は、上述した問題点を解決するために案出されたものであって、プラズマディスプレイ装置で発生する高温空気の気流の流れを調整して、装置の特定部位で集中的に温度が上昇することを防止するプラズマディスプレイ装置を提供することに目的がある。
【課題を解決するための手段】
【００１０】
前記の目的を達成するための本発明に係るプラズマディスプレイ装置は、前面及び背面パネルを備えてなるプラズマ表示パネルと、プラズマ表示パネルの画像が具現される反対側、すなわち、後方に設けられ、プラズマ表示パネルを支持するプラスチック材質のシャーシベースと、シャーシベースの背面に設けられる回路基板を含み、プラズマ表示パネルの電極に信号を伝達する駆動回路部と、シャーシベースの背面に形成され、駆動回路部から発生する熱を分散させるエアーガイド部と、を含んでなる。
【００１１】
エアーガイド部は、シャーシベースと一体的にプラスチック材質で形成され、駆動回路部から発生する高温空気の流れを調整できるように様々に形成されることができる。そして、シャーシベース面から垂直に突出するエアーガイド部を横切った断面形状は、弧状、“Ｖ”字形状、あるいは、水平な直線構造を持つように形成され得るが、このような形状や構造に限らない。
【００１２】
また、エアーガイド部は、第１、第２のエアーガイド部を含んで構成されることができ、このとき、第１のエアーガイド部は、駆動回路部の回路基板の上部に水平に複数個設けられ、第２エアーガイド部は、第１のエアーガイド部の上方に形成され、第１のエアーガイド部が配列される間の空間を上方から覆うように形成され得る。
【発明の効果】
【００１３】
以上で説明したように、本発明に係るプラズマディスプレイ装置は、シャーシベースに設けられた駆動回路部から発生する高温の空気により発生する気流の流れを変化させ、背面筐体へ排出される排出空気の温度を低減して排出して、プラズマディスプレイ装置の使用の満足度を向上させる効果がある。
【発明を実施するための最良の形態】
【００１４】
以下、本発明の好適な実施形態を、添付の図面を参照して説明する。
【００１５】
図１は、本発明に係るプラズマディスプレイ装置の斜視図であり、図２は、本発明の実施形態のエアーガイド部がシャーシベースに形成された状態を示す図であり、図３ａから図３ｃは、本発明の他の実施形態のエアーガイド部がシャーシベースに形成された状態を示す図である。
【００１６】
図１及び図２に示されるように、本発明の実施形態に係るプラズマディスプレイ装置１０は、前面パネル２２と背面パネル２４とを備えるプラズマ表示パネル２０の内部に充填された放電ガスの放電時に発生する紫外線を用いて蛍光体層を発光させることで、画像を具現する。
【００１７】
より詳細には、前記プラズマ表示パネル２０は、前面パネル２２と背面パネル２４とによって形成され、放電が発生する空間である放電セル（図示せず）内で放電が発生し、前記放電ガスから放出される紫外線が蛍光体を励起させて可視光を発光させることで、画像を具現するようになる。
【００１８】
前記プラズマ表示パネル２０の画像が具現される反対側に、シャーシベース４０が設けられ、前記プラズマ表示パネル２０を支持する。
【００１９】
前記シャーシベース４０は、全面に両面テープなどの接着部材によって前記プラズマ表示パネル２０が貼り付けられて支持され、前記プラズマ表示パネル２０との間で前記接着部材が貼り付けられていない領域には、放熱シート（図示せず）が備えられる。
【００２０】
そして、前記プラズマ表示パネル２０の電極を電気的に連結する信号伝達手段３２が、集積回路チップ３１と電気的に接続されて設けられる。
【００２１】
また、前記信号伝達手段３２の一部は、前記集積回路チップ３１又はプラズマ電極と、前記アドレス駆動回路基板６６ａ、６６ｂとを電気的に接続する。前記信号伝達手段３２は、ＴＣＰ（Ｔａｐｅ  Ｃａｒｒｉｅｒ  Ｐａｃｋａｇｅ）を含む様々なＦＰＣ（Ｆｌｅｘｉｂｌｅ  Ｐｒｉｎｔｅｄ  Ｃｉｒｃｕｉｔ）で形成することができる。
【００２２】
前記シャーシベース４０には、前記駆動回路部６０の回路基板６２、６６ａ、６６ｂを固定させる多数のボス５０が押し込まれる。
【００２３】
前記駆動回路部６０は、前記プラズマ表示パネル２０に備えられている電極（図に示していない）と、前記電極などに印加される電気的な信号を制御する電極スイッチング素子が形成される回路基板６２とを含んで形成される。前記駆動回路部６０のアドレス電極駆動部６４は、前記プラズマ表示パネル２０の上部と下部とから引き出されるアドレス電極と結合するために、前記シャーシベース４０の上辺と下辺とに近い領域に形成される。
【００２４】
前記アドレス電極駆動部６４は、多数のアドレス駆動回路基板６６ａ、６６ｂを含んで形成され、ＰＢＡ（Ｐｒｉｎｔｅｄ  Ｂｏａｒｄ  Ａｓｓｅｍｂｌｙ）で構成されて形成されることができる。前記アドレス駆動回路基板６６ａ、６６ｂは、配線パターンが形成されたＰＣＢ（Ｐｒｉｎｔｅｄ  Ｃｉｒｃｕｉｔ  Ｂｏａｒｄ）に多数の電気素子が実装されて形成される。前記アドレス駆動回路基板６６ａ、６６ｂに実装される電気素子には、集積回路チップ、抵抗、コンデンサを含む多数の回路素子が含まれる。
【００２５】
シャーシベース４０の成形時に一体的に形成されるエアーガイド部４４は、駆動回路部６０の上部に離隔して位置し、前記駆動回路部６０の作動時に発生する高温空気の流れを分散させるように形成される。エアーガイド部４４は、シャーシベース４０と一体的に、例えばプラスチック材質で形成される。
【００２６】
前記エアーガイド部４４は、駆動回路部６０と一対一で対応するように前記シャーシベース４０と一体的に形成され、シャーシベース４０の背面に突出形成される。
【００２７】
前記シャーシベース４０に形成されたエアーガイド部４４の形状は、前記シャーシベース４０と一体的に形成され、駆動回路部６０から発生する高温空気の流れを調整できるように様々に形成されることができる。すなわち、図２のように、エアーガイド部４４は、前記駆動回路部６０に向かって中央部が下向きに傾斜し、その端部が弧状に形成される。または、図３ａに示すように、エアーガイド部４４は、“Ｖ”字形状に中央部に向かって下向きに傾斜して形成されることもできる。または、図３ｂに示すように、単にエアーガイド部４４の形状が水平な直線構造を持つように形成されることもできる。
【００２８】
このように、エアーガイド部の形状は、特定の形状に限定される必要はなく、駆動回路部６０から発生する高温空気の流れを調整できるように形成できる。
【００２９】
また、図３ｃに示すように、エアーガイド部４４が第１、第２のエアーガイド部４５、４６を含んで構成され、前記第１のエアーガイド部４５は、前記駆動回路部６０の上部から離隔して水平に設けられ、第２エアーガイド部４６は、前記第１のエアーガイド部４５の上部に形成され、前記第１のエアーガイド部４５の間に配列されることもできる。
【００３０】
前記のように構成される本発明に係るプラズマディスプレイ装置の作用を説明すれば、下記の通りである。
【００３１】
添付の図２を参照すれば、プラズマ表示パネル２０が駆動されると、放電セルの内部に充填された放電ガスが放電を起こし、前記放電ガスの放電時に発生する紫外線を用いて蛍光体層を発光させて、画像が具現される。
【００３２】
これと同時に、シャーシベース４０に設けられた各駆動回路部６０の作動によって熱が発生し、前記駆動回路部６０の周囲の空気は、駆動回路部６０から発生する熱により加熱されて、高い温度を保持するようになる。
【００３３】
図２に示されるように、駆動回路部６０から発生する高温の空気は、駆動回路部６０の上部に上昇する。すなわち、駆動回路部６０から発生する熱により加熱されたｔ１、ｔ２の空気の状態は、周辺の空気が持っている密度よりも相対的に低くなり、自然に上昇する。このとき、前記駆動回路部６０の上部に、エアーガイド部４４が、駆動回路部６０に向かって下向きに傾斜した弧状に形成されており、加熱されたｔ１、ｔ２の空気は、エアーガイド部４４の弧を帯びた形状に沿って移動し、前記シャーシベース４０の駆動回路部６０が設けられていない領域から上昇する空気ｔ３と混合されたｔｍの混合空気の状態で、上部に上昇する。
【００３４】
前記ｔｍの混合空気の状態は、駆動回路部６０から発生した高温の空気ｔ１、ｔ２が、ｔ３状態の加熱されていない空気と混合された状態であり、前記ｔｍの混合空気がシャーシベース４０の上部へ上昇し、シャーシベース４０の背面に結合される背面筐体（図示せず）の排出口（図示せず）を介して温度が低下した状態で外部へ排出され、使用者の身体の一部が接触しても、不快感又は怪我の発生を防止するようになる。
【００３５】
前記シャーシベース４０の上部に一体的に形成されたエアーガイド部４４は、駆動回路部６０と一対一に対応するように設けられており、前記シャーシベース４０の上部へ上昇するｔｍ’、ｔｍ”の混合空気の状態で排出される。
【００３６】
図３ａから図３ｃは、本発明の他の実施形態のエアーガイド部がシャーシベースに設けられた状態を示す図である。
【００３７】
図３ａの状態は、エアーガイド部４４が、“Ｖ”字形状にシャーシベース４０に形成された状態を示す図であり、図３ｂの状態は、エアーガイド部４４が、水平にシャーシベース４０に形成された状態を示す図であり、図３ｃは、第１、第２のエアーガイド部４５、４６が、シャーシベース４０に形成された状態を示す図である。
【００３８】
図３ａおよび図３ｂは、前記シャーシベース４０と一体的に形成されるエアーガイド部４４が、図に示されるような形状に変更されて形成された形態を示す図である。図３ａにおいて、エアーガイド部４４の形状が、“Ｖ”字形状に前記シャーシベース４０と一体的に形成されているので、駆動回路部６０により加熱された高温の空気が、前記エアーガイド部４４が設けられた場所へ移動し、前記エアーガイド部４４に移動した加熱空気は、前記エアーガイド４４の“Ｖ”字形状に沿って両側に流動して、駆動回路部６０が設けられていない領域から上昇する空気と混合されて、シャーシベース４０の上部へ上昇する。
【００３９】
シャーシベース４０の上部へ上昇した空気は、シャーシベース４０の背面に結合される背面筐体（図示せず）の排出口（図示せず）を介して温度が低下した状態で外部へ排出され、使用者の身体の一部が接触しても、不快感又は怪我の発生を防止するようになる。
【００４０】
図３ｂに示されたエアーガイド部４４は、シャーシベース４０と一体的に形成され、駆動回路部６０の上部に水平に設けられ、駆動回路部６０から発生する高温の空気と、駆動回路部６０の以外の領域から流動する空気とを混合して、シャーシベース４０の上部へ移動させて、背面筐体の排出口を介して排出させる。
【００４１】
図３ｃは、シャーシベース４０にエアーガイド部４４を形成し、前記駆動回路部６０の上部に第１、第２のエアーガイド部４５、４６が各々離隔して設けられた複層構造の形態であって、単層構造に比べて、駆動回路部６０から発生する高温の空気と、非加熱の空気との混合の度合を、図に示すように複数回以上混合でき、混合空気の最高温度を低減した状態で、背面筐体の排出口を介して排出するようになる。
【００４２】
一方、本発明は、発明の要旨を逸脱することなく、当該発明が属する分野において通常の知識を有する者ならば、誰でも様々な変更実施ができるであろう。
【図面の簡単な説明】
【００４３】
【図１】本発明に係るプラズマディスプレイ装置の斜視図である。
【図２】本発明の実施形態のエアーガイド部がシャーシベースに設けられた状態を示す部分平面図である。
【図３ａ】本発明の他の実施形態のエアーガイド部がシャーシベースに設けられた状態を示す部分平面図である。
【図３ｂ】本発明の更に他の実施形態のエアーガイド部がシャーシベースに設けられた状態を示す部分平面図である。
【図３ｃ】本発明の更に他の実施形態のエアーガイド部がシャーシベースに設けられた状態を示す部分平面図である。
【符号の説明】
【００４４】
１０    プラズマ表示装置、
２０    プラズマ表示パネル、
４０    シャーシベース、
４４    エアーガイド部、
４５    第１のエアーガイド部、
４６    第２エアーガイド部。
【図１】
2007034293.tif 000003
【図２】
2007034293.tif 000004
【図３ａ】
2007034293.tif 000005
【図３ｂ】
2007034293.tif 000006
【図３ｃ】
2007034293.tif 000007